(57)【要約】【課題】  患者からの呼び出しに対して予め設定した通りに個々の携帯端末が呼び出し動作しているか、システム稼働中であってもナースコール親機にて認識可能とする。【解決手段】  制御機は、呼び出す携帯端末番号の群を個々のナースコール子機に対応させて記憶した呼出テーブルを有し、ナースコール子機から呼び出しが成されたら、呼出テーブルに従い特定の携帯端末の群を無線設備を介して呼出操作する。無線設備は制御機の指示を受けて、通信操作している携帯端末の情報（通信状態情報）を制御機を介してナースコール親機に送信し、ナースコール親機は通信状態情報を受けて実際に鳴動している携帯端末番号（Ｃ２）と鳴動動作していない携帯端末番号（Ｃ３）をＬＣＤに表示した。【選択図】  図５
2006041831.tif 000002
【特許請求の範囲】
【請求項１】
患者が看護師を呼び出すためのナースコール子機と、呼び出しを行った前記ナースコール子機の番号を表示する表示部を有し、患者からの呼び出しに応答するためのナースコール親機と、同様に患者からの呼び出しに応答するために看護師が携行する携帯端末と、前記携帯端末と通信するための無線設備と、前記ナースコール親機及び前記無線設備を制御する制御機とを有し、前記制御機に、個々のナースコール子機に対応させた携帯端末の群を記憶した呼出テーブルを備え、前記ナースコール子機から呼び出しが成されたら、前記呼出テーブルに従って対応する携帯端末群を呼出操作するナースコールシステムであって、
前記ナースコール親機は、前記携帯端末に対して通信操作する前記無線設備が送出する通信状態情報を前記制御機を経由して受信し、前記通信状態情報を基に、実際に呼出動作している携帯端末番号を、呼出操作が成された前記ナースコール子機の番号とともに前記表示部に表示することを特徴とするナースコールシステム。
【請求項２】
前記ナースコール親機は、前記通信状態情報を基に、前記制御機が呼出操作をしたにも拘わらず呼出動作していない前記携帯端末の番号を、前記表示部に表示することを特徴とする請求項１記載のナースコールシステム。
【請求項３】
患者が看護師を呼び出すためのナースコール子機と、呼び出しを行った前記ナースコール子機の番号を表示する表示部を有し、患者からの呼び出しに応答するためのナースコール親機と、同様に患者からの呼び出しに応答するために看護師が携行する携帯端末と、前記携帯端末と通信するための無線設備と、前記ナースコール親機及び前記無線設備を制御する制御機とを有し、前記制御機に、個々のナースコール子機に対応させた携帯端末の群を記憶した呼出テーブルを備え、前記ナースコール子機から呼び出しが成されたら、前記呼出テーブルに従って対応する携帯端末群を呼出操作するナースコールシステムであって、
前記ナースコール親機は、前記携帯端末に対して通信操作する前記無線設備が送出する通信状態情報を前記制御機を経由して受信し、前記通信状態情報を基に、前記制御機が呼出操作をしたにも拘わらず呼出動作していない前記携帯端末の番号を、呼出操作が成された前記ナースコール子機の番号とともに前記表示部に表示することを特徴とするナースコールシステム。
【発明の詳細な説明】
【技術分野】
【０００１】
本発明は、ナースコールシステムに関し、特にナースコール子機の呼出操作により複数の携帯端末に呼び出しが掛かるナースコールシステムに関する。
【背景技術】
【０００２】
携帯端末を備えたナースコールシステムは、通常看護師を呼び出すためのナースコール子機、患者からの呼び出しに応答するためのナースコール親機及び携帯端末、携帯端末と通信するための無線設備、前記ナースコール親機及び前記無線設備を制御する制御機等を備えている。このようなシステムにおいて、ナースコール子機からの呼び出しに対して複数の携帯端末が鳴動動作する場合、制御機はナースコール子機の呼出操作に対して鳴動させる携帯端末群を記憶する呼出テーブルを備えている。
そして、患者がナースコール子機を操作すると呼出情報が制御機へ送られ、制御機はナースコール親機に対して呼出操作されたナースコール子機情報を送り、ナースコール親機は呼び出しが成されたことを報知すると同時に、ナースコール親機の表示部には呼出元の情報、例えばナースコール子機番号が表示される。更に制御機は、呼出テーブルを参照して対応する携帯端末を鳴動させる（例えば、特許文献１参照）。
【０００３】
【特許文献１】特開２００２−４４２６５号公報
【発明の開示】
【発明が解決しようとする課題】
【０００４】
しかし、上記従来のナースコールシステムでは、呼出テーブルに基づく制御機の動作確認は、呼出テーブル設定時に実際に携帯端末を鳴動させて確認するのみで、ナースコールシステムが稼働中に携帯端末が電源オフ等で使用不可の状態となってもその旨を知ることはできなかった。
本発明は、このような問題点を解決するためになされたもので、患者からの呼び出しに対して予め設定した通りに個々の携帯端末が動作しているか、システム稼働中であってもナースコール親機にて認識可能とすることを目的としている。
【課題を解決するための手段】
【０００５】
上記課題を解決する為に、請求項１に記載の発明は、患者が看護師を呼び出すためのナースコール子機と、呼び出しを行ったナースコール子機の番号を表示する表示部を有し、患者からの呼び出しに応答するためのナースコール親機と、同様に患者からの呼び出しに応答するために看護師が携行する携帯端末と、携帯端末と通信するための無線設備と、ナースコール親機及び無線設備を制御する制御機とを有し、制御機に、個々のナースコール子機に対応させた携帯端末の群を記憶した呼出テーブルを備え、ナースコール子機から呼び出しが成されたら、呼出テーブルに従って対応する携帯端末群を呼出操作するナースコールシステムであって、ナースコール親機は、携帯端末に対して通信操作する無線設備が送出する通信状態情報を制御機を経由して受信し、通信状態情報を基に実際に呼出動作している携帯端末番号を、呼出操作が成されたナースコール子機の番号とともに表示部に表示することを特徴とする。
この構成により、実際に呼出動作している携帯端末の番号がナースコール親機に表示されるので、患者からの呼び出しにより関係する看護師の携帯端末が鳴動しているかナースコール親機にて知ることができる。そのため、呼出設定したにも拘わらず携帯端末が何れも呼び出しできない場合を速やかに把握でき、ナースコール親機にて対応しなければならないことがわかり、患者からの呼び出しに確実に対応できる。
【０００６】
尚、通信状態情報とは、呼出先の携帯端末が応答可能な状態にあるか否かの情報を含む、無線設備から制御機に発せられる情報をいう。
【０００７】
請求項２の発明は、請求項１記載の発明において、ナースコール親機は、通信状態情報を基に、制御機が呼出操作をしたにも拘わらず呼出動作していない携帯端末の番号を、表示部に表示することを特徴とする。
この構成により、呼出動作している携帯端末に加えて、呼出動作していない携帯端末も知ることができ、呼出時の設定内容を再確認できる。
【０００８】
請求項３の発明は、患者が看護師を呼び出すためのナースコール子機と、呼び出しを行ったナースコール子機の番号を表示する表示部を有し、患者からの呼び出しに応答するためのナースコール親機と、同様に患者からの呼び出しに応答するために看護師が携行する携帯端末と、携帯端末と通信するための無線設備と、ナースコール親機及び無線設備を制御する制御機とを有し、制御機に、個々のナースコール子機に対応させた携帯端末の群を記憶した呼出テーブルを備え、ナースコール子機から呼び出しが成されたら、呼出テーブルに従って対応する携帯端末群を呼出操作するナースコールシステムであって、ナースコール親機は、携帯端末に対して通信操作する無線設備が送出する通信状態情報を制御機を経由して受信し、通信状態情報を基に、制御機が呼出操作をしたにも拘わらず呼出動作していない携帯端末の番号を、呼出操作が成されたナースコール子機の番号とともに表示部に表示することを特徴とする。
この構成により、呼び出しているにも拘わらず呼出動作していない携帯端末がナースコール親機に表示されるので、患者からの呼び出しに対して関係する看護師の携帯端末が鳴動していない場合をナースコール親機にて知ることができる。
【発明の効果】
【０００９】
本発明によれば、実際に呼出動作している携帯端末の番号がナースコール親機に表示されるので、患者からの呼び出しにより関係する看護師の携帯端末が鳴動しているかナースコール親機にて知ることができる。そのため、呼出設定したにも拘わらず携帯端末が何れも呼び出しできない場合を速やかに把握でき、ナースコール親機にて対応しなければならないことがわかり、患者からの呼び出しに確実に対応できる。また、呼出設定時の確認もし易くなる。
【発明を実施するための最良の形態】
【００１０】
以下、本発明を具体化した実施の形態を、図面に基づいて詳細に説明する。図１は、本発明に係るナースコールシステムの一例を示すシステム構成図であり、１は患者からの呼び出しに応答するためのナースコール親機、２は個々の看護師が携行して患者からの呼び出しに応答するための携帯端末、３は病室毎に設置されて患者からの呼び出しを表示する廊下灯、４は患者が看護師を呼び出すために各ベッドに設置されるナースコール子機、５はトイレから呼出操作するトイレ子機、６ａはＰＢＸ交換機、６ｂは携帯端末２と通信するための無線基地局、７はナースコール親機１、廊下灯３及びＰＢＸ交換機６ａを制御する制御機である。
【００１１】
ＰＢＸ交換機６ａと無線基地局６ｂで無線設備６を構成し、制御機７の指示により携帯端末２の呼出操作をする。また、ナースコール親機１と制御機７は親機幹線Ｌ１で接続され、制御機７と廊下灯３及びナースコール子機４は子機幹線Ｌ２で接続され、制御機７と無線設備６は接続線Ｌ３で接続されている。
【００１２】
ナースコール親機１は、患者毎に患者氏名や救護区分等の患者情報を表示するエスカッション９、及びＬＣＤ（液晶表示部）１０を有するＬＣＤ親機１ａと、パーソナルコンピュータ（以下、ＰＣとする）からなり、ＰＣモニタ画面としてＬＣＤ親機１ａに比べて大画面のＬＣＤ１１を備えたＰＣ親機１ｂとで構成されている。このＰＣ親機１ｂは、エスカッションをＬＣＤ１１に表示可能な構成となっている。また、１２は患者と通話する為のハンドセットである。
【００１３】
また、制御機７は、ナースコール子機４が操作された際に呼び出す携帯端末２の群を個々のナースコール子機４に対して設定した呼出テーブルを記憶したメモリを有している。図２はその呼出テーブルの一例を示し、ナースコール子機番号と携帯端末番号とを対応させている。ここでは、個々のナースコール子機４に対して２台の携帯端末２を呼び出すよう設定されている。
【００１４】
このように構成されナースコールシステムの携帯端末呼出動作を具体的に説明する。患者がナースコール子機４を操作して看護師を呼び出すと、操作したナースコール子機情報が子機幹線Ｌ２を経由して制御機７へ伝送される。制御機７は、受信したナースコール子機情報を基に、親機幹線Ｌ１を経由してナースコール親機１に子機番号情報を伝送し、ナースコール親機１は、受信した情報を基にＬＣＤ１０，１１に呼出元のナースコール子機番号を表示する。
この場合、ＬＣＤ親機１ａのＬＣＤ１０、及びＰＣ親機１ｂのＬＣＤ１１は、ナースコール子機番号等を表示する表示部として動作する。
【００１５】
同時に、制御機７は図２に示す呼出テーブルを参照して携帯端末２を呼び出す。このとき、制御機７は図３に示すような通信開始情報を無線設備６に対して送信する。図３において、Ａ１は通信フォーマット、Ｂ１は送信情報であり、この場合、２１番のナースコール子機４から呼び出しが成され、携帯端末２の番号４１，４２の２台を呼び出すことを示している。
この情報が接続線Ｌ３を経由して無線設備６に送られ、無線設備６はこの情報を受けて番号４１，４２の携帯端末２を鳴動させ、呼び出す。
【００１６】
一方、携帯端末２と無線設備６は、ＰＨＳ（パーソナル  ハンディーホン  システム）で通信する構成であり、無線設備６は呼び出している携帯端末２の状態を認識できる。例えば、４２番の携帯端末２の電源が投入されていない場合、或いは無線が届かない場所にある場合は、携帯端末２からの信号を無線設備６が受信できないため、通信不能な状態にあると認識することができる。また、４１番の携帯端末２が鳴動して正常に呼出動作している場合は信号を発するため、それを無線設備６は認識できる。
これらの情報を受けて、無線設備６は、図４に示すような通信状態情報を制御機７に対して通知する。図４において、Ａ２は通信フォーマット、Ｂ２は送信情報であり、この場合、４１番の携帯端末２の呼び出しが成功し、４２番の携帯端末２の呼び出しが不可（４２番の携帯端末２を呼び出しているが鳴動しない）であることを表示している。
【００１７】
制御機７は、無線設備６から送られてくる通信状態情報を受けて、呼び出しに成功した携帯端末番号、及び呼出不可の携帯端末番号情報を親機幹線Ｌ１を経由してナースコール親機１に対して送り、ＬＣＤ１０，１１に図５に示すように表示させる。図５において、Ｃ１は呼出元のナースコール子機番号の表示、Ｃ２は呼出鳴動している携帯端末番号の表示、Ｃ３は呼び出しているが鳴動していない携帯端末番号の表示を示している。
【００１８】
このように、実際に呼出動作している携帯端末の番号、及び呼び出しているが鳴動しない携帯端末の番号がナースコール親機に表示されるので、患者からの呼び出しにより関係する看護師の携帯端末が鳴動しているかナースコール親機にて知ることができる。そのため、呼出設定したにも拘わらず携帯端末が何れも呼び出しできない場合を速やかに把握でき、その場合はナースコール親機にて対応しなければならないことがわかる。こうして、患者からの呼び出しに確実に対応することができる。また、呼出の設定内容の再確認もし易くなる。
【００１９】
尚、無線設備６の携帯端末呼出操作に対して、実際に鳴動している携帯端末２の番号のみをナースコール親機１に表示させても良く、それだけでも鳴動している携帯端末２の有無をナースコール親機１にて認識できる。また逆に、呼び出しているにも拘わらず、鳴動していない携帯端末２の番号のみを表示させてもよく、表示により患者からの呼び出しに対して関係する看護師の携帯端末が鳴動していないことをナースコール親機にて知ることができる。
また、ナースコール親機１をＬＣＤ親機１ａとＰＣ親機１ｂの２機で構成しているが、何れか一方だけで構成することもできる。
【図面の簡単な説明】
【００２０】
【図１】本発明の実施形態の一例を示すナースコールシステムの構成図である。
【図２】ナースコール子機と携帯端末番号の対応テーブルである。
【図３】制御機から無線設備へ伝送される通開始御情報の一例を示すテーブルである。
【図４】無線設備から制御機へ伝送される通信状態情報の一例を示すテーブルである。
【図５】ナースコール子機により呼出操作が成された場合に、ナースコール親機表示部の表示を示す図である。
【符号の説明】
【００２１】
１・・ナースコール親機、２・・携帯端末、４・・ナースコール子機、６・・無線設備、６ａ・・ＰＢＸ交換機、６ｂ・・無線基地局、７・・制御機、１０，１１・・ＬＣＤ（表示部）。
【図１】
2006041831.tif 000003
【図２】
2006041831.tif 000004
【図３】
2006041831.tif 000005
【図４】
2006041831.tif 000006
【図５】
2006041831.tif 000007